(57)【要約】【課題】太陽電池を載置固定した柔軟な固定シート材の固定が、固定シート材に振動が発生するのを抑制できるようにして、固定シート材と太陽電池の耐久性の向上を図る。【解決手段】太陽電池１１が載置固定される固定シート材１２を折板屋根１３の上に固定する太陽電池固定構造において、固定シート材１２の外周縁のうちの両側に形成され、固定シート材１２の厚みよりも厚肉で固定シート材１２の辺に沿って線状に延びる抜け止め部１４と、この抜け止め部１４の内側部分を拘束して抜け止め部の長手方向と直交する方向での抜け止めをする保持部材１５と、設置箇所における固定シート材１２の外周縁の外側に対応する部位に固定される固定部材１６を備える。そして保持部材１５と固定部材１６が、牽引ボルトとナットからなる牽引手段１７で連結され、保持部材１５を固定部材１６に対してねじの回転で引き寄せられるようにした太陽電池固定構造。【選択図】図２
2013172117.tif 000002
【特許請求の範囲】
【請求項１】
太陽電池が載置固定される固定シート材を設置箇所に固定する太陽電池固定構造であって、
前記固定シート材の外周縁のうちの少なくとも両側に形成され、固定シート材の厚みよりも厚肉で固定シート材の辺に沿って線状に延びる抜け止め部と、
該抜け止め部の内側部分を拘束して抜け止め部の長手方向と直交する方向での抜け止めをする保持部材と、
前記設置箇所における前記固定シート材の外周縁の外側に対応する部位に固定される固定部材を備え、
前記保持部材と前記固定部材が、保持部材を固定部材に対してねじの回転で引き寄せる牽引手段で連結される
太陽電池固定構造。
【請求項２】
前記牽引手段が、一端が保持部材に保持され、他端が固定部材に保持されるボルトを備えた
請求項１に記載の太陽電池固定構造。
【請求項３】
前記固定シート材が方形状に形成され、
前記抜け止め部が、一対の対向する二辺に形成された
請求項１または請求項２に記載の太陽電池固定構造。
【請求項４】
前記固定部材のうち前記設置箇所の内側に固定される固定部材の両側に、前記牽引手段が設けられ、前記固定シート材が複数枚並設される
請求項１から請求項３のうちのいずれか一項に記載の太陽電池固定構造。
【請求項５】
前記保持部材が、前記抜け止め部を挟む位置で上下に二分割された保持部材担体からなる
請求項１から請求項４のうちのいずれか一項に記載の太陽電池固定構造。
【発明の詳細な説明】
【技術分野】
【０００１】
この発明は、例えば各種の屋根や外壁のような外装材や屋上等の太陽光に照らされる箇所に太陽電池を固定するための構造に関し、より詳しくは、太陽電池が載置固定された固定シート材を設置箇所に耐久性よく固定できるような太陽電池固定構造に関する。
【背景技術】
【０００２】
太陽電池には柔軟な性状のものがあり、このような太陽電池は固定のための柔軟な固定シート材に貼り付けて用いられる（例えば下記特許文献１参照）。太陽電池を貼り付けた固定シート材は、特許文献１のようにそれ自体を屋根構造として用いるほか、下記特許文献２の図８、段落［００７６］〜［００７９］に開示されているように固定される。
【０００３】
特許文献２の図８に開示された固定構造は、固定シート材の周囲に多数あけられた穴と、固定シート材を設置する箇所に設けられた枠状をなすパイプ状支持体と、紐で構成され、紐をパイプ状支持体に巻き付けるようにしながら固定シート材の穴に通して、固定シート材をパイプ状支持体の内側に張るというものである。
【先行技術文献】
【特許文献】
【０００４】
【特許文献１】特許第２６６２７６１号公報
【特許文献２】特開２００６−７４０６８号公報
【発明の概要】
【発明が解決しようとする課題】
【０００５】
しかし、特許文献２の図８に開示されたような固定構造では、次のような問題がある。すなわち、１本の紐を巻きつけるように通して固定しているので、経年変化によりゆるみが生じ、固定シート材には風等の外力により振動が起こりやすくなる。固定シート材には、フレキシブルでありながらも耐久性を得るためにガラス繊維（強化繊維）を有するものが用いられているので、ガラス繊維の特性から、振動によってガラス繊維が割れてしまい、この結果、固定シート材に伸びが生じて振動が激しくなり、ひいては太陽電池の電気接触に不良が発生することになる。
【０００６】
そこで、この発明は、振動の発生を抑制できる固定を行って耐久性の向上を図ることができるようにすることを主な目的とする。
【課題を解決するための手段】
【０００７】
そのための手段は、太陽電池が載置固定される固定シート材を設置箇所に固定する太陽電池固定構造であって、前記固定シート材の外周縁のうちの少なくとも両側に形成され、固定シート材の厚みよりも厚肉で固定シート材の辺に沿って線状に延びる抜け止め部と、該抜け止め部の内側部分を拘束して抜け止め部の長手方向と直交する方向での抜け止めをする保持部材と、前記設置箇所における前記固定シート材の外周縁の外側に対応する部位に固定される固定部材を備え、前記保持部材と前記固定部材が、保持部材を固定部材に対してねじの回転で引き寄せる牽引手段で連結される太陽電池固定構造である。
【０００８】
この構成では、固定シート材の抜け止め部を保持部材が抜け止め可能に保持し、この保持部材が固定部材に対して牽引手段で牽引されて、少なくとも両側に前記抜け止め部を有する固定シート材は、少なくとも両側に引っ張られて、振動を抑制できるように張力がかかった状態で設置箇所に設置される。そして、固定シート材を張る張力は、牽引手段によって調整でき、張力が低下した場合には牽引手段のねじを回転して張力を高めることができる。
【発明の効果】
【０００９】
この発明によれば、固定シート材を固定するときに張力を調整でき、緩んだときには締められるので、固定シート材の振動を抑制する固定ができる。このため、固定シート材の補強繊維の劣化・損傷や、固定シート材の伸びの発生、太陽電池の電気接触不良の発生を防止して、太陽電池の耐久性を向上できる。
【図面の簡単な説明】
【００１０】
【図１】太陽電池固定構造を示す斜視図。
【図２】太陽電池固定構造の分解斜視図。
【図３】固定シート材と保持部材の斜視図。
【図４】保持部材と固定部材の斜視図。
【図５】固定部材の固定例を示す断面図。
【図６】作用状態の断面図。
【図７】他の例に係る太陽電池固定構造の斜視図。
【図８】他の例に係る太陽電池固定構造の断面図。
【図９】図８の保持部材の斜視図。
【図１０】他の例に係る太陽電池固定構造の断面図。
【図１１】他の例に係る太陽電池固定構造の断面図。
【発明を実施するための形態】
【００１１】
この発明を実施するための一形態を、以下図面を用いて説明する。  
図１は、太陽電池１１が載置固定される固定シート材１２を設置箇所に固定する太陽電池固定構造の斜視図であり、この図１に示す例では、前記設置箇所を折板屋根１３の上の一部または全部としている。
【００１２】
前記太陽電池１１は屈曲自在で柔軟な性質で帯状をなしたものである。この太陽電池を前記折板屋根１３の上に固定する固定構造は、図２の分解斜視図に示したように、前記固定シート材１２の外周縁のうちの少なくとも両側に形成され、固定シート材１２の厚みよりも厚肉で固定シート材１２の辺に沿って線状に延びる抜け止め部１４と、この抜け止め部１４の内側部分を拘束して抜け止め部の長手方向と直交する方向での抜け止めをする保持部材１５と、前記折板屋根１３における前記固定シート材１２の外周縁の外側に対応する部位に固定される固定部材１６と、前記保持手段１５と前記固定部材１６を連結する牽引手段１７で構成される。
【００１３】
前記固定シート材１２は、ガラス繊維織物にニフッ化エチレン樹脂をコーティングして構成されており、柔軟性を有し、耐熱性、耐候性に優れたものである。前記ニフッ化エチレン樹脂以外の樹脂、たとえば四フッ化エチレン樹脂、塩化ビニル樹脂、ポリエチレン樹脂、ポリプロピレン樹脂、ポリスチレン樹脂、ナイロン樹脂等の熱可塑性樹脂を用いることもできる。設置箇所である折板屋根１３の上面が平面視方形であるので、それに合わせて固定シート材１２も方形、具体的には長方形に形成され、固定シート材１２の長手方向が折板屋根１３の勾配方向と一致する向きになるように固定される。固定シート材１２の長手方向と直交する方向の長さ（幅寸法）は、幅方向に引っ張って張ったときに張力をもたせて張れるように、長くなりすぎないように適宜設定される。固定シート材１２の固定は、複数枚の固定シート材１２を折板屋根１３の左右方向で並列するように行う。
【００１４】
前記抜け止め部１４は、前記のような長方形をなす固定シート材１２の外周縁のうちの両側、すなわち長手方向と直交する方向の両側に形成される。抜け止め部１４の形成は、いわゆるケダー（ＫＥＤＥＲ）加工で行える。
【００１５】
つまり、図３に示したように、長方形をなす１枚のシート本体１２ａの両側、換言すれば長手方向と直交する方向（幅方向）で対向する一対の二辺に、溶着によりケダー構造が設けられる。ケダー構造は、断面円形をなし柔軟な長尺状のエッヂロープ１４ａと、このエッヂロープ１４ａと前記シート本体１２ａを結合する柔軟な長尺帯状の結合シート１４ｂで構成される。エッヂロープ１４ａは、合成樹脂等で構成されて柔軟であるが、圧縮してもシート本体１２の厚みより薄く潰れないものである。
【００１６】
加工は、エッヂロープ１４ａを結合シート１４ｂの幅方向の中間に収めて包むように被覆し、あまった両側部分でシート本体１２ａの縁を挟み、この状態を高周波溶着で固定して行う。前記シート本体１２ａの四隅部分１２ｂは補強のため二重に形成されている。
【００１７】
固定シート材１２は前述のような構成であるので、抜け止め部１４を含めて柔軟であり、巻いたり折り畳んだりして小さくすることが可能である。このような固定シート材１２の表面（上面）に対して前記太陽電池は載置固定される。その固定は、両面粘着手テープ等の適宜の固定手段で行い、例えば図１、図２に示したように、固定シート材１２の長手方向と直交する方向である左右方向（幅方向）に複数枚の前記太陽電池１１を並べる。太陽電池１１の長手側の辺が屋根の勾配方向と同じ向きになるので、雨水の流れを遮る方向の辺の長さを短くできる。また太陽電池１１の配線を折板屋根１３の勾配方向の上方でまとめることができる。
【００１８】
前記保持部材１５は金属製で、図３に示したように細長い形状に形成される。そして長手方向と直交する方向の一側に前記固定シート材１２の抜け止め部１４を保持する抜け止め保持部１８が形成され、他側には前記牽引手段１７を保持する牽引保持部１９が形成されている。
【００１９】
前記抜け止め保持部１８は、前記抜け止め部１４を収容する保持空間１８ａと、この保持空間１８ａと外部を連通して固定シート材１２における抜け止め部１４近傍のシート状の部分を通す連通隙間１８ｂを有する。連通隙間１８ｂは厚み方向の中間に形成される。
【００２０】
前記牽引保持部１９は、図４に示したように、前記牽引手段１７を構成する牽引ボルト２０の頭部２０ａを抜け止め可能に保持する部分で、牽引ボルト２０の頭部２０ａを回転不可能な状態で収容する保持空間１９ａと、この保持空間１９ａと外部を連通して牽引ボルト２０の軸部２０ｂを通す連通隙間１９ｂを有する。この連通隙間１９ｂも厚み方向の中間に形成される。
【００２１】
このような構成の保持部材１５は、前記抜け止め部１４を挟む位置で上下に二分割された保持部材担体１５ａからなる。つまり、保持部材担体１５ａを上下方向で重ね合わせれば、各保持部材担体１５ａが協働して形成する保持空間１８ａ，１９ａに抜け止め部１４または牽引ボルト２０の頭部２０ａを収容することができる。
【００２２】
保持部材担体１５ａ同士の結合は、保持空間１８ａ，１９ａと連通隙間１８ｂ，１９ｂの間の部位に形成された貫通穴２１に挿通するボルト２２とこれに螺合するナット２３で行う。
【００２３】
前記抜け止め保持部１８の保持空間１８ａの大きさは、抜け止め部１４に対応する大きさであるほか、抜け止め部１４を圧縮する大きさであってもよい。抜け止め保持部１８や牽引保持部１９の寸法によっては、保持部材１５に対する抜け止め部１４や牽引ボルト２０の頭部２０ａの保持を、保持部材担体１５ａ同士を重合してから行うようにすることもできる。
【００２４】
保持部材１５（保持部材担体１５ａ）の長さは、抜け止め部１４と同様に長尺であってもよいが、図１、図２に示したように、運搬や保管を考慮した適宜の長さに設定され、抜け止め部１４に対して固定するときに相互に突き合わせるようにするとよい。
【００２５】
前記固定部材１６は、細長い中空の箱状に形成され、図４に示したように金属製で有底箱状をなす本体２４と、この上面の開口を開閉可能に閉塞する蓋体２５で構成される。前記本体２４の長手方向と直交する方向の両側壁２４ａには、前記牽引ボルト２０の軸部２０ｂを保持する保持穴２４ｂが長手方向に沿って多数形成されている。両側壁２４ａに形成される保持穴２４ｂのうち一方側の保持穴２４ｂと他方側の保持穴２４ｂは、長手方向で互いに位置をずらして、保持された牽引ボルト２０の軸部２０ｂ同士が互いに干渉するのを回避している。
【００２６】
保持穴２４ｂに保持された牽引ボルト２０の軸部２０ｂにはナット２６が螺合され、牽引ボルト２０の抜け止めと牽引ボルトの牽引ができるように構成される。
【００２７】
図４に図示した固定部材１６は、設置箇所の内側に固定される固定部材１６の例であって、両側に前記牽引ボルト２０を保持できるが、設置箇所の外周部分に固定される固定部材では、片側のみに側壁と保持穴を有する固定部材（図示せず）が用いられる。両側壁２４ａに保持穴２４ｂを有する前記固定部材１６を流用してもよい。
【００２８】
このような固定部材１６は、設置箇所に適宜の手段で固定される。設置箇所が折板屋根１３の場合、図２に示したように、折板屋根１３の馳締め部１３ａを利用した周知の屋根上固定金具２７と、この固定金具２７間に掛け渡された周知のアングル材２８を用いて固定される。
【００２９】
前述のように固定シート材１２は複数備えられており、折板屋根１３の左右方向で並列固定するので、前記屋根上固定金具２７とアングル材２８は、折板屋根１３の左右方向で固定シート材１２の幅よりも若干広めの間隔を隔てて複数配設される。アングル材２８同士の間には、間隔を保持するために丸棒状のスペーサ棒２９を架設する。
【００３０】
前記固定部材１６は前記アングル材２８に対してボルトナットや溶接により固定される。この固定では、太陽電池１１の傾斜を折板屋根１３の勾配よりも例えば図５に示したように急にしたり、逆に緩やかにしたりするときには、前記アングル材２８と固定部材１６との間に適宜の角度保持部材３０を介在させる。
【００３１】
前記牽引手段１７は、前記保持部材１５を前記固定部材１６に対してねじの回転で引き寄せるもので、前述のように、一端が保持部材１５に保持され、他端が固定部材１６に保持される牽引ボルト２０と、これの軸部２０ｂに螺合するナット２６で構成される。つまり、ナット２６を回転することで、保持部材１５に回転不可能に保持された牽引ボルト２０が進退可能である。
【００３２】
以上のように構成された太陽電池固定構造では、まず、図２に示したように、折板屋根１３の所定箇所に前記屋根上固定金具２７と、前記アングル材２８と、前記スペーサ棒２９を固定して、固定部材１６を固定するための下地を形成してから、前記アングル材２８に固定部材１６を固定する。
【００３３】
つぎに、固定シート材１２と太陽電池１１を屋根上に上げる。固定シート材１２も太陽電池１１も巻いたり折り畳んだりすることができるので容易に作業できる。つづいて、屋根上において、固定シート材１２の両側の抜け止め部１４に保持部材１５を固定する。
【００３４】
保持部材１５は上下一対の保持部材担体１５ａで構成されているので、抜け止め部１４を保持部材担体１５ａの抜け止め保持部１８で挟みつけるようにボルト２２ナット２３で固定すればよく、作業は簡単に行える。必要であれば、抜け止め部１４を強力に挟みつけて保持することも可能である。少なくとも抜け止め部１４の内側部分は保持部材１５の抜け止め保持部１８によって拘束され、固定シート材１２の面方向に沿った抜け止め部１４の長手方向と直交する方向での抜け止めができる。
【００３５】
このように保持部材１５を抜け止め部１４へ固定してから、又は抜け止め部１４への固定に際して、前記牽引ボルト２０も保持する。つまり、抜け止め部材担体１５ａの牽引保持部１９に対して、前記牽引ボルト２０の頭部２０ａを挟み込んだり滑り込ませたりして保持する。
【００３６】
このあと、牽引ボルト２０が取り付けられた保持部材１５を、蓋体２５を外した状態の固定部材１６の側面に近づけ、牽引ボルト２０の軸部２０ｂを固定部材１６の保持穴２４ｂに挿通して、保持穴２４ｂから進入した軸部２０ｂにナット２６を螺合する。すべての保持穴２４ｂに牽引ボルト２０を保持し、ナット２６を螺合してから、すべてのナット２６を均等に締め付ける。
【００３７】
ナット２６を締め付けることにより牽引ボルト２０は引っ張られて、図６に示したように、固定シート材１２はテンションがかかった状態でピンと張られる。適切な緊張状態を有するようにナット２６の締め付けを行う。
【００３８】
固定シート材１２の長手方向に延びる抜け止め部１４には、全長にわたって保持部材１５が保持されているので、固定シート材１２は長手方向で縮むこともなく、長手方向の状態は維持された状態で、固定シート材１２は左右方向（幅方向）に引っ張られる。
【００３９】
この状態の固定シート材１２、又はナット２６を締め付けてテンションを掛ける前の状態の固定シート材１２に対して、粘着剤や両面粘着テープなどの適宜の固定手段で前記太陽電池１１を固定する。
【００４０】
前記ナット２６を締め付けた後は、前記蓋体２５で固定部材１６の開口を塞ぐ。
【００４１】
なお、必要があれば図７に示したように、固定シート材１２における抜け止め部１４を有しない辺を前記スペーサ棒２９に対して紐状体３１で適宜固定することができる。また、固定シート材１２の４辺すべてに抜け止め部１４を形成して、四方に張って固定することもできる。
【００４２】
このようにして固定され固定シート材１２は、図６に示したように、常に張力がかかった状態である。ねじの回転で引き寄せ量を調節する構成であるので、固定シート材１２の適切な緊張状態が得られる。このため、弛みが生じにくく、振動も抑制できる。そして、弛みが生じた場合には、固定部材１６の蓋体２５を開けてナット２６を締めれば、ピンと張った状態が得られ、振動を抑制できる。
【００４３】
振動を抑えることができるので、固定シート材１２のガラス繊維の損傷を抑制し、固定シート材１２の強度を維持して固定シート材１２の耐久性を得られる。固定シート材１２が伸びることもないので、太陽電池１１の電気接触不良の発生を回避でき、太陽電池の耐久性も高められる。
【００４４】
また、太陽電池固定構造は、柔軟な固定シート材１２に形成した柔軟な抜け止め部１４と、これを保持する保持部材１５を備えて、ナット２６の回転で保持部材１６を牽引することで張設するものであるので、紐を用いて固定する従来の構造に比して施工が容易である。しかも固定シート材１２は巻いたり折り畳んだりできるので、屋根上という高所に上げる労力を低減できる上に、固定に必要な部材やそれに必要な資材も少ないので、この点からも施工が容易である。にもかかわらず、前述のように張りのある固定状態が容易に得られ、高い耐久性を得られる。
【００４５】
さらに、前述のように固定シート材１２を固定するのに必要な部材を少なくできるうえに、固定シート材１２に形成する抜け止め部はケダー加工によって形成できるので、製造コストを抑えられることもできる。
【００４６】
以下、その他の例について説明する。この説明において前述の構成と同一または同等の部位については同一の符号を付してその詳しい説明を省略する。  
図８は設置箇所をテント倉庫４１の上面とした例を示す断面図である。テント倉庫４１はパイプ４２の上に外布４３を張って構成されるので、前記固定部材１６は前記パイプ４２に直接固定される。
【００４７】
図８中、右側の固定部材１６は、設置箇所の内側に固定されるもので、断面横コ字状に形成され、中間の固定片１６ａがパイプ４２に固定される。パイプ４２は断面円形であるため、固定状態の安定化を図るためパイプ４２の上側に固定面を形成するために断面横コ字状の補助金具４４が設けられる。図８中、左側の固定部材１６は、設置箇所の端部に固定されるもので、断面Ｌ字状に形成され、一方の固定片１６ａがパイプ４２に固定される。この場合も固定状態の安定化を図るためパイプ４２には断面Ｌ字状の補助金具４５が被せられる。補助金具４４，４５は図示したようなタッピングねじやボルトのほか、溶接によっても固定できる。
【００４８】
また保持部材１５は、上下に分割された保持部材担体からなるものではなく、図９に示したような一部材で構成され、長手方向と直交する方向の一側に断面円形の保持空間１８ａを有する抜け止め保持部１８を有し、他側には、断面横なが長方形の牽引保持部１９を有している。
【００４９】
抜け止め部１４を抜け止め保持部１８に保持するには、抜け止め部１４の長手方向の端部から順に抜け止め保持部１８に差し込むと、図８に示したような状態となる。
【００５０】
また前記牽引保持部１９には、四角いナット２６が回転不可能に保持される。このナット２６には、前記固定部材１６の保持穴２４ｂに保持された牽引ボルト２０の軸部２０ｂが螺合する。つまり、牽引ボルト２０を回転してナット２６を引き付けると、前記保持部材１５を引き付けられる。
【００５１】
前記補助金具４４，４５を省略して部品点数の低減を図るには、例えば図１０に示したように、固定部材１６の下端の両側に突片１６ｂを形成し、これらの突片１６ｂに対し、パイプ４２に嵌めたＵ字形の固定ボルト４６の両端を挿通してナット４７で固定するとよい。
【００５２】
図１１は、固定シート材１２にテンションをかけた張設状態を維持できるとともに、不測の強風でも固定シート材１２に大きな振動が起こらないようにする固定構造の断面図である。
【００５３】
すなわち、牽引手段１７を構成する牽引ボルト２０の軸部２０ｂに付勢手段５１を備えており、ねじを回転して締め付けたときに付勢手段５１による付勢力も作用するように構成されている。図１１（ａ）は、固定部材１６の側壁２４ａの内面とナット２６との間に前記付勢手段５１を構成する圧縮コイルばね５１ａを保持した例である。図中、５１ｂはワッシャである。圧縮コイルばね５１ａとワッシャ５１ｂは一体化されているのが好ましい。図１１（ｂ）は、保持部材１５に保持される牽引ボルト２０の頭部２０ａの下に前記付勢手段５１を保持した例である。
【００５４】
いずれの構成でも、牽引ボルト２０の牽引による引っ張りと、付勢手段５１の付勢力による引っ張りとで固定シート材１２が張設される。ばね定数を高めに設定することで外力によって徒に変位することは抑制される。
【００５５】
このような構成であるため、固定シート材１２に適度なテンションがかかった状態を強力に維持でき、付勢手段５１によって牽引ボルト２０とナット２６の緩みを抑制できるとともに、突風で固定シート材１２が煽られても急激な変形や振動の発生を抑えられる結果、前述のように耐久性の高い固定構造となる。
【００５６】
この発明の構成と、前記構成との対応において、  
この発明の接地箇所は、前記折板屋根１３、テント倉庫４１に対応し、  
以下同様に、  
牽引手段は、前記牽引ボルト２０とナット２６に対応し、  
ボルトは、前記牽引ボルト２０に対応するも、  
この発明は前述の構成に限定されるものではなく、その他の構成を採用することもできる。
【００５７】
たとえば、固定シート材は方形状以外の形状であってもよい。抜け止め部の形成位置は固定シート材の形状や張設の仕方によって適宜決定されうる。
【００５８】
また固定部材は箱状に限らず、牽引手段の保持が可能であれば適宜の形状に形成することができる。
【００５９】
さらに固定シート材に形成される抜け止め部は保持部材によってその内側部分が拘束される形状であればよく、必ずしも前述のような断面円形でなくてもよく、三角形状や四角形状などでもよい。これに対応して、保持部材における抜け止め部を保持する部分の形状も適宜設定されうる。
【符号の説明】
【００６０】
１１…太陽電池
１２…固定シート材
１３…折板屋根
１４…抜け止め部
１５…保持部材
１５ａ…保持部材担体
１６…固定部材
１７…牽引手段
２０…牽引ボルト
２６…ナット
４１…テント倉庫
【図１】
2013172117.tif 000003
【図２】
2013172117.tif 000004
【図３】
2013172117.tif 000005
【図４】
2013172117.tif 000006
【図５】
2013172117.tif 000007
【図６】
2013172117.tif 000008
【図７】
2013172117.tif 000009
【図８】
2013172117.tif 000010
【図９】
2013172117.tif 000011
【図１０】
2013172117.tif 000012
【図１１】
2013172117.tif 000013